(57)【要約】【課題】端末装置から近距離無線通信によって取得した通信情報と、端末装置の位置情報とを連動させた処理を行う。【解決手段】情報処理装置（１）は、ＮＦＣ端末が有する端末情報を、近距離無線通信を行うＮＦＣ通信部（１１２）を介して取得し、タッチパネル（１１１）における、ＮＦＣ端末が接触している位置の情報を含むタッチ情報を取得し、端末情報とタッチ情報とを対応付けて記憶する対応付け部（２１１）を備える。対応付け部（２１１）は、タッチパネル（１１１）上をＮＦＣ端末が移動した場合、対応付けられている位置情報を更新する。ＮＦＣ通信部（１１２）は、ＮＦＣアンテナ（１１４）を複数有し、位置情報が示す位置に最も近いＮＦＣアンテナ（１１４）を、ＮＦＣ端末との近距離無線通信が可能な状態とするアプリ実行部（２１２）をさらに備える。【選択図】図１
2019087261.tif 000002
【特許請求の範囲】
【請求項１】
タッチパネルにかざされた端末装置が有する端末情報を、近距離無線通信を行う通信部を介して上記端末装置から取得する端末情報取得部と、
上記タッチパネルにおける、上記端末装置が接触または近接している位置の情報を含む位置情報を取得する位置情報取得部と、
上記端末情報と上記位置情報とを対応付けて記憶する対応付け部と、を備え、
上記対応付け部は、上記接触または近接状態が維持された状態で上記タッチパネル上を上記端末装置が移動した場合、当該移動に応じて上記端末情報と対応付けられている上記位置情報を更新し、
上記通信部は、上記端末装置と近距離無線通信を行うためのアンテナを複数有し、
上記端末装置の上記位置情報が示す位置に最も近いアンテナを、上記端末装置との近距離無線通信が可能な状態とするアンテナ状態設定部をさらに備えることを特徴とする情報処理装置。
【請求項２】
上記端末情報は、上記タッチパネルにおいて設定された第１の軸と、上記第１の軸と同一平面上における軸であって、上記端末装置の外形に基づいて特定される第２の軸とがなす角度を示す角度情報とさらに対応付けられて記憶され、
上記対応付け部は、上記接触または近接が維持された状態で上記端末装置の上記角度が変更された場合、当該変更に応じて上記端末情報と対応付けられている上記角度情報を更新することを特徴とする請求項１に記載の情報処理装置。
【請求項３】
上記対応付け部は、上記端末装置の接触または近接状態が解消されてから所定時間が経過したとき、上記端末情報と上記位置情報との対応付けを解除することを特徴とする請求項１または２に記載の情報処理装置。
【請求項４】
上記タッチパネルにおける第１の位置において上記端末装置の接触または近接状態が解消された後、上記所定時間が経過する前に、上記位置情報取得部が上記端末装置の第２の位置情報を取得したとき、少なくとも、上記第２の位置情報が示す第２の位置と、上記第１の位置との差が所定範囲内である場合に、上記対応付け部は、上記端末情報に対応付けられている位置情報を、上記第２の位置情報に更新することを特徴とする請求項３に記載の情報処理装置。
【請求項５】
上記対応付け部は、上記タッチパネルに接触または近接した物体が上記端末装置であると判定したとき、上記端末情報と上記位置情報とを対応付けて記憶することを特徴とする請求項１から４のいずれか１項に記載の情報処理装置。
【請求項６】
上記対応付け部は、複数の上記端末装置が同時に近距離無線通信を行った場合に、上記近距離無線通信を行ったアンテナのうち、上記端末装置が接触または近接している位置が最も近いアンテナによって取得された端末情報と、当該アンテナに最も近い端末装置の上記位置情報と、を対応付けることを特徴とする請求項１から５のいずれか１項に記載の情報処理装置。
【請求項７】
請求項１に記載の情報処理装置としてコンピュータを機能させるための制御プログラムであって、上記端末情報取得部、上記位置情報取得部、上記対応付け部、上記アンテナ状態設定部としてコンピュータを機能させるための制御プログラム。
【請求項８】
請求項７に記載の制御プログラムを記録したコンピュータ読み取り可能な記録媒体。
【発明の詳細な説明】
【技術分野】
【０００１】
本発明は、近距離無線通信を行う通信部を備える表示装置が端末装置から近距離無線通信によって取得した情報を処理する情報処理装置などに関する。
【背景技術】
【０００２】
近年、下記特許文献１に示すような、近距離無線通信（Near field radio communication、以下、ＮＦＣ）用の透明アンテナを内蔵したディスプレイの開発が進められている。当該ディスプレイは、前面に透明アンテナ層を搭載することにより、ディスプレイの表示面に端末装置（ＮＦＣ端末、例えば、ＮＦＣ機能搭載スマートフォン、ＮＦＣ機能搭載カードなど）を近づけることで通信が可能となる。
【０００３】
また、下記特許文献２に示すように、アンテナを設置した複合機において、ユーザがアンテナの近傍でＮＦＣ端末を移動させたことに伴う、各アンテナの通信状態の変化からユーザの選択した処理を特定する技術が開発されている。
【先行技術文献】
【特許文献】
【０００４】
【特許文献１】特開２０１０−１０２５３１号公報（２０１０年０５月０６日公開）
【特許文献２】特開２０１５−０３２０５７号公報（２０１５年０２月１６日公開）
【発明の概要】
【発明が解決しようとする課題】
【０００５】
しかしながら、上記特許文献１に開示されたディスプレイでは、通信後にＮＦＣ端末を移動させた場合、当該ＮＦＣ端末の位置を把握することができないという問題がある。ここで、上記特許文献２では、ＮＦＣ端末の移動に伴ってユーザが選択した処理を特定するが、移動させることのできる範囲は限定的である。つまり、従来の技術は、ＮＦＣ端末から通信によって取得した通信情報と、ＮＦＣ端末の位置情報とを連動させた処理を行うには不十分である。
【０００６】
本発明は、上記の問題点に鑑みてなされたものであり、端末装置から近距離無線通信によって取得した通信情報と、端末装置の位置情報とを連動させた処理を行うことができる情報処理装置などを提供することにある。
【課題を解決するための手段】
【０００７】
上記の課題を解決するために、本発明の一態様に係る情報処理装置は、タッチパネルにかざされた端末装置が有する端末情報を、近距離無線通信を行う通信部を介して上記端末装置から取得する端末情報取得部と、上記タッチパネルにおける、上記端末装置が接触または近接している位置の情報を含む位置情報を取得する位置情報取得部と、上記端末情報と上記位置情報とを対応付けて記憶する対応付け部と、を備え、上記対応付け部は、上記接触または近接状態が維持された状態で上記タッチパネル上を上記端末装置が移動した場合、当該移動に応じて上記端末情報と対応付けられている上記位置情報を更新し、上記通信部は、上記端末装置と近距離無線通信を行うためのアンテナを複数有し、上記端末装置の上記位置情報が示す位置に最も近いアンテナを、上記端末装置との近距離無線通信が可能な状態とするアンテナ状態設定部をさらに備える。
【発明の効果】
【０００８】
本発明の一態様によれば、端末装置から近距離無線通信によって取得した通信情報と、端末装置の位置情報とを連動させた処理を行うことができるという効果を奏する。
【図面の簡単な説明】
【０００９】
【図１】本発明に係る情報処理装置の要部構成の一例を示すブロック図である。
【図２】図１に示すＮＦＣディスプレイの具体的構成を示す図である。
【図３】図３の（ａ）および（ｂ）は、図１に示すタッチパネルの原理を説明する図であり、図３の（ｃ）および（ｄ）は、上記タッチパネルに物体が接触したときに発生するセンサシグナルの例を示す図である。
【図４】図４の（ａ）は、形状解析によって特定される端末候補領域の各パラメータの一例を示す図であり、図４の（ｂ）は、物体が矩形のＮＦＣ端末である場合のタッチ情報の具体例を示す図である。
【図５】図５の（ａ）は、形状解析によって特定される端末候補領域の各パラメータの別の例を示す図であり、図５の（ｂ）は、物体が楕円形のＮＦＣ端末である場合のタッチ情報の具体例を示す図である。
【図６】図６の（ａ）は、ＮＦＣ端末がタッチパネルに接触したときに生成されるタッチ情報の具体例を示す図であり、図６の（ｂ）は、ＮＦＣ端末がタッチパネルへの接触を維持したまま移動しているときのタッチ情報の具体例を示す図である。
【図７】図７の（ａ）は、ＮＦＣ通信情報の具体例を示す図であり、図７の（ｂ）は、対応付けデータの具体例を示す図である。
【図８】図８の（ａ）は、意図しない接触解消に伴う対応付けデータ削除を示す模式図であり、図８の（ｂ）は、接触解消後すぐにＮＦＣ端末とタッチパネルとを再び接触させたときの対応付けデータの具体例を示す図である。
【図９】図１に示す情報処理装置が実行する処理の流れの一例を示すフローチャートである。
【図１０】図９のフローチャートに含まれる対応付け処理の流れの一例を示すフローチャートである。
【図１１】図１に示す情報処理装置がアプリケーションを実行したときの遷移図である。
【図１２】実施形態２に係る情報処理装置が備えるＮＦＣディスプレイの具体的構成を示す図である。
【図１３】実施形態２に係る情報処理装置がアプリケーションを実行したときの遷移図である。
【図１４】実施形態３に係る情報処理装置がアプリケーションを実行した時の遷移図である。
【図１５】実施形態３の変形例に係る情報処理装置がアプリケーションを実行した時の遷移図である。
【図１６】図１０に示すフローチャートに含まれる「Ａ」以降の処理の流れを示すフローチャートである。
【図１７】実施形態４における意図しない接触解消に伴う対応付けデータ削除の防止方法を示す図である。
【図１８】本発明の変形例を示す図である。
【発明を実施するための形態】
【００１０】
〔実施形態１〕
以下、本発明の実施の形態について、図１〜図１１に基づいて説明すれば、以下のとおりである。
【００１１】
（情報処理装置１）
まず、本実施形態に係る情報処理装置１の要部構成について、図１を参照して説明する。図１は、情報処理装置１の要部構成の一例を示すブロック図である。情報処理装置１は、画像を表示する表示装置１０と、表示装置１０を制御する制御装置２０とが一体となっており、ＮＦＣディスプレイ１１、シグナル情報処理部１２、ＮＦＣ通信制御部１３、制御部２１、記憶部２２、および表示駆動部２３を備えている。
【００１２】
なお、情報処理装置１は、表示装置１０と制御装置２０とが別体であってもよい。この場合、表示装置１０と制御装置２０とは、通信部（不図示）を介して情報の送受信を行う。なお、情報の送受信は有線によるものであってもよいし、無線によるものであってもよい。また、表示装置１０と制御装置２０とが、ルータなどの別装置を介して情報の送受信を行ってもよい。
【００１３】
ＮＦＣディスプレイ１１は、外部装置との近距離無線通信（Near field radio communication、以下、ＮＦＣと称する場合がある）を行う機能を備えたディスプレイである。ＮＦＣディスプレイ１１は、タッチパネル１１１、ＮＦＣ通信部１１２、および表示部１１３を備えている。なお、ＮＦＣとは、到達距離の短い無線通信全般を示し、例えば非接触ＩＣカードや非接触ＩＣタグなど、ＲＦＩＤ技術を利用した近距離無線通信などを含む。
【００１４】
ここで、ＮＦＣディスプレイ１１の具体的構成について、図２を参照して説明する。図２はＮＦＣディスプレイ１１の具体的構成を示す図である。図２に示すように、ＮＦＣディスプレイ１１は、最外部から保護ガラス、タッチパネル１１１、ＮＦＣ通信部１１２、表示部１１３の順に各部材を重畳させた構成である。
【００１５】
タッチパネル１１１は、物体の接触を受け付けるタッチ面と、指示体とタッチ面との間の接触、および、それによる入力位置を検知するためのタッチセンサとで構成されている。タッチセンサは、指示体とタッチ面との接触／非接触を検知できれば、どのようなセンサで実現されていてもよい。例えば、圧力センサ、静電容量センサ、光センサなどで実現される。なお本実施形態では、タッチセンサが静電容量センサであるものとして説明する。また、タッチパネル１１１は、物体が接触せず、タッチパネル１１１と物体との距離が所定距離以内である、いわゆる近接状態を接触として検知するものであってもよい。
【００１６】
ここで、静電容量センサを備えるタッチパネル１１１の詳細について、図３を参照して説明する。図３の（ａ）および（ｂ）は、タッチパネル１１１の原理を説明する図であり、図３の（ｃ）および（ｄ）は、タッチパネル１１１に物体が接触したときに発生するセンサシグナルの例を示す図である。
【００１７】
図３の（ａ）に示すように、タッチパネル１１１は、Ｙ方向に延びる透明電極１１５とＸ方向に延びる透明電極１１６とを重ね合わせて形成される。そして、図３の（ｂ）に示すように導電性のある物体（図３の（ｂ）では指Ｆ）がタッチパネル１１１に接触すると静電容量が変化する。このとき、どの電極間で静電容量が変化したかを検出することで、物体が接触した座標を特定することができる。
【００１８】
図３の（ｃ）および（ｄ）は、物体としてＮＦＣ機能を搭載したカードをタッチパネル１１１に接触させたときの、静電容量の変化量を示すセンサシグナルの例を示す図である。なお、ＮＦＣ機能を搭載したカードは、ＮＦＣ機能を実現するためのアンテナコイルを備えており、当該アンテナコイルの導電性によって、タッチパネル１１１はカードの接触を検出することができる。
【００１９】
上記カードをタッチパネル１１１に接触させると、図３の（ｃ）に示すようなセンサシグナルが発生する。これを上面図にて示すと、図３の（ｄ）に示すように、当該カードの接触面（タッチパネル１１１に接触した面）の形状でセンサシグナルが発生していることが見て取れる。具体的には、アンテナコイルの形状に応じた形状のセンサシグナルが発生している。なお、ＮＦＣ機能を搭載した端末（ＮＦＣ端末）自体が導電性である場合は、端末の形状に応じた形状のセンサシグナルが発生する。タッチパネル１１１は、当該センサシグナルを示すシグナル情報をシグナル情報処理部１２に出力する。具体的には、タッチパネル１１１は１秒間に６０回〜２４０回の頻度でシグナル情報をシグナル情報処理部１２に出力する。
【００２０】
なお、図示してはいないが、指などの指示体がタッチパネル１１１に接触した場合、図３の（ｃ）のような広範囲のセンサシグナル（換言すれば、ブロードのセンサシグナル）は発生せず、狭い範囲でのセンサシグナル（換言すれば、細いセンサシグナル）が発生する。
【００２１】
ＮＦＣ通信部１１２は、外部と近距離無線通信を行うための通信デバイスである。ＮＦＣ通信部１１２は、ＮＦＣタグを検知して、情報の送受信を行うタグリーダとしての機能を有する透明アンテナであるＮＦＣアンテナ１１４（アンテナ）を備えている。具体的には、ＮＦＣ通信部１１２は、図２に示すように、タッチパネル１１１と表示部１１３との間に設けられるシート状の部材である。なお、図２に示すように、本実施形態のＮＦＣ通信部１１２は、ＮＦＣアンテナ１１４を１つ備えている構成であるが、ＮＦＣアンテナ１１４の数、サイズ、位置は図２の例に限定されるものではない。また、ＮＦＣ通信部１１２の位置は、図２に示すタッチパネル１１１と表示部１１３との間に限定されるものではない。また、ＮＦＣアンテナ１１４は、タッチパネル１１１に設けられていてもよい（すなわち、タッチパネル１１１とＮＦＣ通信部１１２とが一体となっていてもよい）。
【００２２】
表示部１１３は、情報処理装置１が処理する情報を画像として表示領域に表示する表示デバイスである。表示部１１３は、例えばＬＣＤ（Liquid crystal display、液晶ディスプレイ）であるが、この例に限定されるものではない。
【００２３】
シグナル情報処理部１２は、タッチパネル１１１から取得したシグナル情報を処理する。シグナル情報処理部１２は、物体判定部１２１、およびタッチ情報生成部１２２を含む。
【００２４】
物体判定部１２１は、タッチパネル１１１に接触した物体が指やペンなどの指示体であるか、またはＮＦＣ機能を有するＮＦＣ端末（端末装置）であるかを判定する。具体的には、物体判定部１２１は、取得したシグナル情報が示すセンサシグナルが、所定範囲より広い範囲で発生したセンサシグナルであるか否かを判定する。上述したように、所定範囲より広い範囲でセンサシグナルが発生していれば、上記物体はＮＦＣ端末である可能性が高い。一方、所定範囲以下の範囲でセンサシグナルが発生していれば、上記物体は指示体である可能性が高い。物体判定部１２１は、判定結果をタッチ情報生成部１２２に出力する。
【００２５】
なお、物体判定部１２１は、タッチパネル１１１に接触した物体が指示体であるかＮＦＣ端末であるかを判定することができればよく、上述したように取得したシグナル情報が示すセンサシグナルが、所定範囲より広い範囲で発生したセンサシグナルであるか否かを判定する構成に限定されない。例えば、取得したセンサシグナルの本数が所定数より多いか否かを判定する構成であってもよい。この場合、所定数より多ければ、上記物体はＮＦＣ端末である可能性が高い。一方、所定数より少なければ、上記物体は指示体である可能性が高い。
【００２６】
タッチ情報生成部１２２は、物体判定部１２１の判定結果に応じたタッチ情報を生成する。タッチ情報生成部１２２は、取得した判定結果が所定範囲より広い範囲で発生したセンサシグナルでないことを示している場合、最も強いセンサシグナルが発生している座標（ピーク座標）を特定し、当該座標とタッチ情報を識別するタッチＩＤとを対応付けて、タッチ情報を生成する。
【００２７】
一方、タッチ情報生成部１２２は、取得した判定結果が所定範囲より広い範囲で発生したセンサシグナルであることを示している場合、シグナル情報を参照してセンサシグナルの形状解析を行う。
【００２８】
ここで、図４を参照して、形状解析およびタッチ情報の詳細について説明する。図４の（ａ）は、形状解析によって特定される端末候補領域の各パラメータの一例を示す図である。また、図４の（ｂ）は、物体が矩形のＮＦＣ端末である場合のタッチ情報の具体例を示す図である。なお、タッチパネル１１１には、図４の（ａ）に示すように、仮想のＸＹ平面が予め設定されている。タッチ情報生成部１２２は、センサシグナルが発生した座標から、端末候補領域を特定する。続いて、端末候補領域の外縁を補正することにより、図４の（ａ）に示すように、端末候補領域の外周形状（外形）を整形する。そして、図４の（ａ）に示す外周形状を特定し（図４の（ａ）の場合、外周形状を矩形と特定する）、当該矩形の中心座標（位置情報、以下、タッチ座標）、サイズ、および傾きの角度（角度情報、以下、角度）を算出する。なお、「角度」とは、上記ＸＹ平面のＸ軸（第１の軸）と、上記Ｘ軸と同一平面上の軸であって、端末候補領域の外周形状に基づいて特定される軸（第２の軸、図４の例では、矩形の長辺）とがなす角度である。
【００２９】
なお、ＮＦＣ端末からＮＦＣアンテナ１１４を介して取得した、ＮＦＣ端末やアンテナコイルの形状、サイズの情報を参照して、端末候補領域の外周形状を整形してもよい。
【００３０】
そして、タッチ情報生成部１２２は、算出したタッチ座標、サイズ、角度、および、端末候補領域の外周形状を示す形状コードをタッチＩＤと対応付けて、図４の（ｂ）に示すタッチ情報を生成する。タッチ情報生成部１２２は、生成したタッチ情報を後述する対応付け部２１１（端末情報取得部、位置情報取得部、サイズ特定部、形状特定部）に出力する。ここで形状コードとは、図４の（ｂ）に示すように、端末候補領域の外周形状と対応付けられた２桁の数字である。外周形状と形状コードとを対応付けたデータは、記憶部２２に予め格納されており、例えば、図４の（ｂ）に示すように、形状コード「０１」が矩形と対応付けられている。また、後述する図５の（ｂ）に示すように、形状コード「０３」が楕円形と対応付けられている。なお、形状コードと形状との対応付けはこの例に限定されず、例えば、形状コード「０２」が円形と、「０４」が三角形と対応付けられていてもよい。また、形状コードと形状との組み合わせ（対応付け）、および形状コードの数は上述した例に限定されない。なお、図４の（ｂ）においてタッチＩＤをアルファベットと数字からなる情報としたこと、および形状コードを２桁の数字としたことは一例であり、この例に限定されるものではない。また、図４の（ｂ）に示すサイズは外周形状が矩形のＮＦＣ端末を想定したものであり、ＨがＮＦＣ端末の短辺の長さを示し、ＷがＮＦＣ端末の長辺の長さを示しているが、この例に限定されるものではない。
【００３１】
また、図４の（ｂ）に示すタッチ情報に含まれる情報の種類は一例であり、この例に限定されるものではない。例えば、ＮＦＣ端末のＮＦＣディスプレイ１１上における状態を示す「ステータス情報」を含んでもよい。ここで、「ステータス情報」の具体例としては、ＮＦＣ端末がＮＦＣディスプレイ１１に接触したことを示す「タッチイン」、ＮＦＣ端末がＮＦＣディスプレイ１１上を移動していることを示す「ムーブ」、およびＮＦＣ端末がＮＦＣディスプレイ１１から離れたことを示す「タッチアウト」などが挙げられるが、この例に限定されるものではない。
【００３２】
ここで、図５を参照して、ＮＦＣ端末が矩形でない場合の端末候補領域の各パラメータ、およびタッチ情報について説明する。ここでは、ＮＦＣ端末が楕円形である場合について説明する。なお、図４と同様の内容については、ここでの説明を省略する。
【００３３】
この例の場合、タッチ情報生成部１２２は、図５の（ａ）に示すように端末候補領域の外周形状を成形した結果、当該形状を楕円形と特定する。そして、図５の（ｂ）に示すように、タッチ情報の形状コードを「０３」とする。
【００３４】
なお、図５の（ｂ）に示すサイズは、外周形状が楕円形のＮＦＣ端末を想定しているため、ＨがＮＦＣ端末の短径の長さを示し、ＷがＮＦＣ端末の長径の長さを示している。また、図５の例における「角度」は、上記ＸＹ平面のＸ軸（第１の軸）と、上記Ｘ軸と同一平面上の軸であって、端末候補領域の外周形状に基づいて特定される軸（第２の軸、図５の例では、楕円形の長径）とがなす角度である。
【００３５】
なお、タッチパネル１１１は、物体の接触が継続している場合、シグナル情報を継続的にシグナル情報処理部１２に出力する。タッチ情報生成部１２２は、取得したシグナル情報に基づいて継続的にタッチ情報を生成し、後述する対応付け部２１１に出力する。このとき、タッチ情報生成部１２２は、タッチパネルからのシグナル情報の出力が途切れるまで、生成したタッチ情報に同一のタッチＩＤを付す。この処理について、図６を参照して説明する。図６の（ａ）は、ＮＦＣ端末がタッチパネル１１１に接触したときに生成されるタッチ情報の具体例を示す図であり、図６の（ｂ）は、ＮＦＣ端末がタッチパネル１１１への接触を維持したまま移動しているときのタッチ情報の具体例を示す図である。なおここでは、ＮＦＣ端末が矩形である例（図４参照）について説明する。
【００３６】
ＮＦＣ端末がタッチパネル１１１に接触すると、タッチ情報生成部１２２は、上述した処理を実行して、図６の（ａ）に示すタッチ情報を生成する。その後、ＮＦＣ端末がタッチパネル１１１に接触したまま移動すると、タッチ情報生成部１２２は、取得したシグナル情報に応じて、継続的にタッチ情報を生成する。このとき、ＮＦＣ端末は移動しているので、タッチ情報に含まれるタッチ座標は変化する。例えば図６の（ａ）および（ｂ）に示すように、タッチ座標が（Ｘ，Ｙ）＝（５０，５０）から（Ｘ，Ｙ）＝（１００，８０）に変化する。なお実際は、図６の（ａ）に示すタッチ情報が生成されてから、図６の（ｂ）に示すタッチ情報が生成されるまでに、移動の軌跡に応じたタッチ座標を含む複数のタッチ情報が生成されているが、図面の簡略化のために図６では省略している。
【００３７】
一方、ＮＦＣ端末がタッチパネル１１１に接触したまま移動した場合、タッチ情報生成部１２２は、新たに生成したタッチ情報のタッチＩＤを、ＮＦＣ端末がタッチパネル１１１に接触したときに生成されるタッチ情報のタッチＩＤとする。具体的には、図６の（ｂ）に示すように、タッチＩＤをＴ０００１のままとする。そして、タッチ情報生成部１２２は、生成したタッチ情報を後述する対応付け部２１１に出力する。
【００３８】
ＮＦＣ通信制御部１３は、ＮＦＣ通信部１１２を制御する。具体的には、ＮＦＣ通信制御部１３は、後述するアプリ実行部２１２の指示に応じて、ＮＦＣアンテナ１１４をＮＦＣ可能な状態（アクティブ）にしたり、ＮＦＣ不可能な状態（非アクティブ）にしたりする。また、ＮＦＣ通信制御部１３は、ＮＦＣ通信部１１２が取得した情報を用いて、ＮＦＣ通信情報を生成する。ここで、ＮＦＣ通信情報の詳細について、図７の（ａ）を参照して説明する。図７の（ａ）は、ＮＦＣ通信情報の具体例を示す図である。なお、本実施形態ではＮＦＣ端末がＮＦＣ機能を備えたトランプである例を説明する。
【００３９】
ＮＦＣ通信部１１２は、ＮＦＣアンテナ１１４を介した近距離無線通信によって、トランプから各種情報（端末情報）、すなわち、ＮＦＣ端末を識別するＮＦＣ端末ＩＤ、ＮＦＣ端末の種類を示す端末種別、ＮＦＣ端末が保有している固有の情報である端末データを取得する。なお、ここで説明する例においては、ＮＦＣ端末がトランプであるため、当該トランプが保有している端末データはトランプのマークおよび数字を示す情報である。ただし、端末種別および端末データは図７の（ａ）に示す例に限定されるものではない。
【００４０】
ＮＦＣ通信制御部１３は、ＮＦＣ通信部１１２からＮＦＣ端末ＩＤ、端末種別、および端末データを取得すると、これらの情報を取得したＮＦＣアンテナ１１４を識別するアンテナＩＤを特定する。なお、本実施形態ではＮＦＣアンテナ１１４は１つであるため、アンテナＩＤも１つのみでよい。そして、ＮＦＣ通信部１１２から取得した情報と、当該アンテナＩＤとを対応付けて、図７の（ａ）に示すＮＦＣ通信情報を生成する。ＮＦＣ通信制御部１３は、生成したＮＦＣ通信情報を対応付け部２１１に出力する。なお、図７の（ａ）においてＮＦＣ端末ＩＤおよびアンテナＩＤをアルファベットと数字からなる情報としたのは一例であり、この例に限定されるものではない。
【００４１】
制御部２１は、情報処理装置１、特に制御装置２０の機能を統括して制御する。制御部２１は、対応付け部２１１、アプリ実行部２１２、および画像生成部２１３を含む。
【００４２】
対応付け部２１１は、シグナル情報処理部１２から取得したタッチ情報と、ＮＦＣ通信制御部１３から取得したＮＦＣ通信情報とを対応付けて記憶する。具体的には、対応付け部２１１は、シグナル情報処理部１２からタッチ情報を取得したとき、当該タッチ情報が指示体の接触を示すタッチ情報であるか、ＮＦＣ端末（トランプ）の接触を示すタッチ情報であるかを判定する。具体的には、タッチ情報に、ＮＦＣ端末の接触を示すタッチ情報における特有の情報である、サイズ、角度、形状コードが含まれているか否かを判定する。なお、上記特有の情報は、上記の例に限定されるものではない。
【００４３】
ここで、指示体の接触を示すタッチ情報であると判定した場合、すなわち、上記特有の情報が含まれていないと判定した場合、対応付け部２１１は、当該タッチ情報が示す接触を、指示体の接触（指タッチ）として以降の処理を行う。具体的には、対応付け部２１１は当該タッチ情報をアプリ実行部２１２に出力する。
【００４４】
一方、ＮＦＣ端末の接触を示すタッチ情報である場合、すなわち、上記特有の情報が含まれていると判定した場合、ＮＦＣ通信制御部１３からＮＦＣ通信情報を取得したか否かを確認する。ここで、ＮＦＣ通信情報を取得している場合、取得したタッチ情報とＮＦＣ通信情報とを対応付けることにより対応付けデータ２２１を生成し、記憶部２２に記憶する。ここで、図７の（ｂ）を参照して、対応付けデータ２２１の詳細について説明する。図７の（ｂ）は、対応付けデータ２２１の具体例を示す図である。対応付けデータ２２１は、図７の（ｂ）に示すように、図４の（ｂ）を参照して説明したタッチ情報に、図７の（ａ）を参照して説明したＮＦＣ通信情報を追加したものである。なお、対応付けデータ２２１に含まれる各種情報については、既に説明しているためここでの説明を省略する。対応付け部２１１は、タッチ情報にＮＦＣ通信情報を追加することで生成した対応付けデータ２２１を、記憶部２２に記憶する。また、対応付け部２１１は、生成した対応付けデータ２２１を、アプリ実行部２１２に出力する。
【００４５】
これに対して、ＮＦＣ通信情報を取得していない場合、対応付け部２１１は、取得したタッチ情報に含まれるタッチＩＤを確認し、記憶部２２に記憶されている対応付けデータ２２１のうち、当該タッチＩＤを含む対応付けデータ２２１があるか否かを確認する。このような応付けデータ２２１がある場合、当該対応付けデータ２２１に含まれるタッチ情報部分を、取得したタッチ情報の内容に更新する。これにより、ＮＦＣ端末と情報処理装置１とがＮＦＣを実行したことにより生成されたＮＦＣ通信情報と、当該ＮＦＣ端末が移動した後のタッチ情報とが対応付けられて記憶されることとなる。よって、情報処理装置１は、タッチパネル１１１上におけるＮＦＣ端末の最新の位置を示す情報を保持することができる。また、対応付け部２１１は、更新した対応付けデータ２２１を、アプリ実行部２１２に出力する。なお、取得したタッチ情報に含まれるタッチＩＤを含む対応付けデータ２２１が無い場合については、後述する実施形態３の変形例にて説明する。
【００４６】
アプリ実行部２１２は、情報処理装置１が有する各種アプリケーションを実行する。具体的には、アプリ実行部２１２は、アプリケーションを起動するための指示体の接触を示すタッチ情報を取得すると、記憶部２２に記憶されているアプリケーション２２２のうち、取得したタッチ情報に応じたアプリケーション２２２を実行する。そして、画像生成部２１３に画像の生成を指示する。また、アプリ実行部２１２は、ＮＦＣ通信制御部１３に指示してＮＦＣアンテナ１１４をアクティブにさせたり、非アクティブにさせたりする。なお、本実施形態に係るアプリケーション２２２の具体例については後述する。
【００４７】
画像生成部２１３は、アプリ実行部２１２の指示に応じて、画像を生成する。画像生成部２１３は、生成した画像を表示駆動部２３に出力する。
【００４８】
記憶部２２は、情報処理装置１が使用する各種データを記憶する。記憶部２２は、少なくとも対応付けデータ２２１、アプリケーション２２２、およびアンテナ位置情報２２３を記憶している。なお、対応付けデータ２２１およびアプリケーション２２２については、既に説明しているため、ここでの説明を省略する。
【００４９】
アンテナ位置情報２２３は、ＮＦＣ通信部１１２におけるＮＦＣアンテナ１１４の位置を示す情報であり、具体的には、ＮＦＣアンテナ１１４を識別するアンテナＩＤと、ＮＦＣアンテナ１１４の位置を示す情報とを対応付けたものである。ＮＦＣアンテナ１１４の位置を示す情報は例えば、ＮＦＣアンテナ１１４が矩形である場合、ＮＦＣ通信部１１２の左上頂点を原点とした時のＮＦＣアンテナ１１４の左上および右下頂点のＸＹ平面座標であってもよいし、ＮＦＣアンテナ１１４の中心点のＸＹ平面座標であってもよいが、この例に限定されるものではない。なお、アンテナ位置情報２２３を使用する構成については、実施形態２にて詳細に説明する。
【００５０】
表示駆動部２３は、表示部１１３を制御する。具体的には、表示駆動部２３は、画像生成部２１３から取得した画像を、表示部１１３に表示させる。
【００５１】
（意図しない接触解消に伴う対応付けデータ削除の防止）
続いて、意図しない接触解消に伴う対応付けデータ削除の防止について、図８を参照して説明する。図８の（ａ）は、意図しない接触解消に伴う対応付けデータ削除を示す模式図であり、図８の（ｂ）は、接触解消後すぐにＮＦＣ端末とタッチパネル１１１とを再び接触させたときの対応付けデータ２２１の具体例を示す図である。
【００５２】
シグナル情報処理部１２は、継続的にタッチパネルから出力されていたシグナル情報が途切れる、つまり、ＮＦＣ端末とタッチパネル１１１の接触が解消されると、その旨を示す接触解消情報と当該接触を示すタッチＩＤとを対応付け部２１１に出力する。対応付け部２１１は、接触解消情報およびタッチＩＤを受けて、記憶部２２から、取得したタッチＩＤを含む対応付けデータ２２１を削除する。
【００５３】
ここで、対応付け部２１１が、接触解消情報とタッチＩＤを取得した後、すぐに当該タッチＩＤを含む対応付けデータ２２１を削除してしまう構成である場合、以下のような問題が発生する。すなわち、図８の（ａ）に示すように、ユーザが意図せずＮＦＣ端末（トランプ３０）とタッチパネル１１１との接触を解除してしまった後（タッチ途切れを発生させてしまった後）、再びトランプ３０とタッチパネル１１１とを接触させても、当該接触を示すタッチ情報は、ＮＦＣ通信情報が対応付けられていないものとなっている。つまり、情報処理装置１は、ハートの７のトランプ３０に関する情報を保持していない状態となってしまう。この場合、ユーザは再度ＮＦＣアンテナ１１４の位置にてトランプ３０をタッチパネル１１１に接触させることにより、トランプ３０の端末データを情報処理装置１に取得させなければならない。
【００５４】
この問題を鑑みて、本実施形態に係る情報処理装置１の対応付け部２１１は、接触解消情報およびタッチＩＤを取得すると、図示しないタイマを起動させて、再びタッチ情報を取得するまでの時間を計測する。そして、所定時間が経過するまでに再びタッチ情報を取得しなかった場合、取得したタッチＩＤを含む対応付けデータ２２１を削除する。
【００５５】
一方、所定時間が経過するまでに再びタッチ情報（第２の位置情報）を取得した場合、対応付け部２１１は時間の計測を一時停止し、当該タッチ情報に含まれるタッチ座標およびサイズと、記憶部２２に記憶している対応付けデータ２２１（接触解消情報とともに取得したタッチＩＤを含む対応付けデータ２２１）に含まれるタッチ座標およびサイズとを比較する。２つのタッチ座標、および２つのサイズの差のうち、少なくとも一方が所定範囲外である場合、対応付け部２１１は、時間の計測を再開する。
【００５６】
これに対して、２つのタッチ座標、および２つのサイズの差が所定範囲内である場合、記憶部２２に記憶している対応付けデータ２２１のタッチ情報部分（第１の位置情報）を、新たに取得したタッチ情報に更新する。
【００５７】
更新後の対応付けデータ２２１は、図８の（ｂ）に示すように、タッチＩＤが更新前のタッチＩＤと異なるものとなっている。これは、図８の（ａ）に示すように、トランプ３０とタッチパネル１１１との接触を一度解除したことにより、再び接触させたときに生成されたタッチ情報が、新たなタッチＩＤ（Ｔ０００２）を含むものとなっているためである。
【００５８】
以上より、ユーザが意図せずＮＦＣ端末とタッチパネル１１１との接触を解除したとしても、所定時間内にほぼ同じ位置でＮＦＣ端末とタッチパネル１１１とを再び接触させれば、対応付けデータ２２１は削除されない。これにより、ユーザは再度ＮＦＣアンテナ１１４の位置にてトランプ３０をタッチパネル１１１に接触させる必要が無くなり、ユーザの利便性が向上する。
【００５９】
なおここでは、タッチ座標およびサイズを比較する構成であったが、対応付け部２１１が、タッチ座標のみを比較する構成であってもよい。またここでは、タッチ情報のサイズを比較、すなわち、タッチパネル１１１と対向するＮＦＣ端末の対向面の長辺および短辺の長さを比較していたが、対向面の面積を算出し、比較してもよい。また、対向面の長辺のみを比較する構成であってもよい。
【００６０】
また、タッチ座標およびサイズに加え、形状コードを比較する構成であってもよい。この場合、対応付け部２１１は、取得したタッチ情報と記憶している対応付けデータ２２１に含まれるタッチ情報とにおけるタッチ座標、およびサイズの差が所定範囲内であり、かつ、２つの形状コードが一致するとき、記憶部２２に記憶している対応付けデータ２２１のタッチ情報部分（第１の位置情報）を、新たに取得したタッチ情報に更新する。なお、２つのタッチ座標の差が所定範囲内であり、かつ、２つの形状コードが一致するとき、記憶部２２に記憶している対応付けデータ２２１のタッチ情報部分（第１の位置情報）を、新たに取得したタッチ情報に更新する構成であってもよい。
【００６１】
（情報処理装置１が実行する処理の流れ）
次に、図９を参照して、情報処理装置１が実行する処理の流れについて説明する。図９は、情報処理装置１が実行する処理の流れの一例を示すフローチャートである。
【００６２】
まず、シグナル情報処理部１２は、タッチパネル１１１から出力されるシグナル情報を待機している（Ｓ１）。シグナル情報を取得した場合（Ｓ１でＹＥＳ）、物体判定部１２１は、シグナル情報を用いてセンサシグナルの発生範囲を特定し（Ｓ２）、当該範囲が所定の範囲より広いか否かを判定する（Ｓ３）。そして、判定結果をタッチ情報生成部１２２に出力する。センサシグナルの発生範囲が所定範囲以下である場合（Ｓ３でＮＯ）、タッチ情報生成部１２２は、センサシグナルにおけるピーク座標を特定する（Ｓ６）。
【００６３】
一方、センサシグナルの発生範囲が所定範囲より広い場合（Ｓ３でＹＥＳ）、タッチ情報生成部１２２は、端末候補領域を特定し、当該領域の外周形状を整形する（Ｓ４）。さらに、タッチ情報生成部１２２は、当該矩形におけるタッチ座標、サイズ、角度を算出する（Ｓ５）。
【００６４】
続いて、タッチ情報生成部１２２は、タッチ情報を生成し（Ｓ７）、対応付け部２１１に生成したタッチ情報を出力する（Ｓ８）。続いて、対応付け部２１１は、対応付け処理を実行する（Ｓ９）。なお、対応付け処理の詳細については後述する。対応付け処理が終了すると、ステップＳ１の処理に戻る。
【００６５】
（対応付け処理の流れ）
次に、図１０を参照して、図９のフローチャートに含まれる対応付け処理の流れについて説明する。図１０は、図９のフローチャートに含まれる対応付け処理の流れの一例を示すフローチャートである。
【００６６】
まず、対応付け部２１１は、タッチ情報を待機する状態となっている（Ｓ１１、位置情報取得ステップ）。タッチ情報を取得した場合（Ｓ１１でＹＥＳ）、対応付け部２１１は、取得したタッチ情報がＮＦＣ端末の接触を示すタッチ情報であるか否かを判定する（Ｓ１２）。具体的には、タッチ情報が図４の（ｂ）に示すタッチ情報であるか否か、すなわち、タッチ情報に、ＮＦＣ端末の接触を示すタッチ情報における特有の情報である、サイズ、角度、形状コードが含まれているか否かを判定する。ＮＦＣ端末の接触を示すタッチ情報でない場合（Ｓ１２でＮＯ）、対応付け部２１１は、当該タッチ情報が示す接触を指タッチとして処理し（Ｓ１５）、対応付け処理は終了する。
【００６７】
一方、ＮＦＣ端末の接触を示すタッチ情報である場合（Ｓ１２でＹＥＳ）、対応付け部２１１は、ＮＦＣ通信情報を取得したか否かを確認する（Ｓ１３、端末情報取得ステップ）。ＮＦＣ情報を取得している場合（Ｓ１３でＹＥＳ）、対応付け部２１１は、タッチ情報とＮＦＣ情報とを対応付けて記憶部２２に記憶し（Ｓ１４、対応付けステップ）、対応付け処理は終了する。
【００６８】
これに対して、ＮＦＣ通信情報を取得していない場合（Ｓ１３でＮＯ）、対応付け部２１１は、取得したタッチ情報と同一のタッチＩＤを含む対応付けデータ２２１があるか否かを確認する（Ｓ１６）、対応付けデータ２２１がある場合（Ｓ１６でＹＥＳ）、対応付け部２１１は、記憶部２２に記憶されている対応付けデータ２２１のタッチ情報部分を更新する（Ｓ１７）。以上で、対応付け処理は終了する。なお、取得したタッチ情報と同一のタッチＩＤを含む対応付けデータ２２１が無い場合（Ｓ１６でＮＯ）の処理については、後述する実施形態３の変形例にて説明する。
【００６９】
なお、図１０では、ステップＳ１３にて対応付け部２１１がＮＦＣ通信情報を取得したか否かを確認していたが、対応付け部２１１が、タッチ情報に含まれるタッチ座標が、ＮＦＣアンテナ１１４の位置に対応する座標であるか否かを判定する構成であってもよい。
【００７０】
（アプリケーションの一例）
次に、図１１を参照して、本実施形態に係る情報処理装置１が実行するアプリケーション２２２の一例を説明する。図１１は、本実施形態に係る情報処理装置１がアプリケーション２２２を実行したときの遷移図である。なおここでは、情報処理装置１が、テーブルのように平置きされたものであり、ＮＦＣディスプレイ１１は、テーブルの天板部分に対応するものであるとして説明する。また、図１１において、矩形（情報処理装置１のＮＦＣディスプレイ１１）内に描かれたもののうち、トランプはＮＦＣディスプレイ１１の上に配置されたＮＦＣ端末であり、その他はＮＦＣディスプレイ１１が表示する画像である。
【００７１】
図１１に示すアプリケーション２２２は、２人でポーカーの対戦を行うアプリケーションである。なお、このアプリケーション２２２は一例であり、本実施形態に係る情報処理装置１が実行するアプリケーションはこの例に限定されない。
【００７２】
図１１の（ａ）は、ここで説明する処理を９枚のトランプ３０において既に実行した後の状態を示している。なお、図１１ではトランプ３０の数字およびマークが記載された面を表にしているが、ポーカーを行うにあたり、当該面が裏であってもよい。また、図示してはいないが、２人のユーザはそれぞれ、図１１の（ａ）に示す情報処理装置１の上辺付近と下辺付近とにいるものとする。
【００７３】
図１１の（ｂ）に示すように、プレイヤー１であるユーザは、図示しないトランプ３０の山からトランプ３０を１枚引き、当該トランプ３０をＮＦＣアンテナ１１４に接触させる。トランプ３０にはＮＦＣタグが内蔵されており、ＮＦＣアンテナ１１４に接触させることで、トランプ３０が保持している情報、すなわち、ＮＦＣ端末ＩＤ、端末種別、端末データ（トランプのマークと数字、図１１の（ｂ）の例ではハートの７）が情報処理装置１に送信される。
【００７４】
なお、表示駆動部２３は、ＮＦＣアンテナ１１４の位置に対応する表示部１１３の領域に、トランプ３０を近接させる位置（ＮＦＣアンテナ１１４の位置）をユーザに示すためのガイド画像を表示させている。これにより、ユーザはトランプ３０を近接させる位置を容易に認識することができる。
【００７５】
対応付け部２１１は、ＮＦＣアンテナ１１４の位置におけるトランプ３０のタッチ情報と、トランプ３０から送信された上記情報を含むＮＦＣ通信情報とを対応付けて、対応付けデータ２２１として記憶部２２に記憶するとともに、対応付けデータ２２１をアプリ実行部２１２に出力する。
【００７６】
次に図１１の（ｂ）および（ｃ）に示すように、ユーザはタッチパネル１１１に接触させた状態で、トランプ３０を所定の位置に移動させる。この移動に伴い、対応付け部２１１は、記憶部２２に記憶されたトランプ３０の対応付けデータ２２１のタッチ情報部分を更新する。また、対応付け部２１１は、対応付けデータ２２１が更新されるたびに、更新後の対応付けデータ２２１をアプリ実行部２１２に出力する。そして、図１１の（ｃ）に示すように、トランプ３０が所定の位置に到達すると、アプリ実行部２１２は、記憶部２２を参照して対応付けデータ２２１をすべて読み出す。そして、対応付けデータ２２１に含まれるタッチ座標に応じて、読み出した対応付けデータ２２１をプレイヤー１の対応付けデータ２２１と、プレイヤー２の対応付けデータ２２１とに分別する。
【００７７】
続いて、アプリ実行部２１２は、分別後の対応付けデータ２２１に含まれる端末データを参照して、ポーカーの役を特定し、当該役に基づいてこのゲームにおける勝敗、累計の勝敗、および累計ポイントを特定する。そして、特定した各データを画像として表示するよう画像生成部２１３に指示する。
【００７８】
なお、本実施形態のアプリ実行部２１２は、トランプ３０が所定の位置に到達したことをトリガとして処理を実行するものであったが、この例に限定されない。例えば、１０枚のカードが全て並べられたことをトリガとしてもよいし、所定のユーザ操作を受け付けたことをトリガとしてもよい。
【００７９】
画像生成部２１３は、アプリ実行部２１２の指示を受けて画像を生成し、表示駆動部２３に出力する。表示駆動部２３は、図１１の（ｄ）に示すように、取得した画像を表示部１１３に表示させる。以上でアプリケーション２２２におけるポーカーの１ゲームが終了する。
【００８０】
つまり２人のプレイヤーは、トランプ３０を１枚山から引くたびに、引いたトランプ３０をＮＦＣアンテナ１４の位置に接触させる。そして、当該接触を維持したままトランプ３０を所定の位置に移動させる。そして、互いに５枚のトランプ３０を所定の位置に配置すれば、表示部１１３にポーカーの役やゲームの勝敗などが表示される。なお、この流れは一例であり、アプリケーション２２２が実行するポーカーの流れはこの例に限定されるものではない。
【００８１】
〔実施形態２〕
本発明の他の実施形態について、図１２および図１３に基づいて説明すれば、以下のとおりである。なお、説明の便宜上、前記実施形態にて説明した部材と同じ機能を有する部材については、同じ符号を付記し、その説明を省略する。
【００８２】
図１２は、本実施形態に係る情報処理装置１ａが備えるＮＦＣディスプレイ１１ａの具体的構成を示す図である。ＮＦＣディスプレイ１１ａは、実施形態１にて説明したＮＦＣディスプレイ１１と異なり、ＮＦＣ通信部１１２ａを備えている。ＮＦＣ通信部１１２ａは、実施形態１にて説明したＮＦＣ通信部１１２と異なり、複数のＮＦＣアンテナ１１４を備えている。なお、図１２に示すＮＦＣ通信部１１２ａは、複数のＮＦＣアンテナ１１４がマトリクス状に配置されているが、ＮＦＣアンテナ１１４の数および配置は図１２の例に限定されるものではない。なお、本実施形態における複数のＮＦＣアンテナ１１４には、それぞれ異なるアンテナＩＤが設定されている。
【００８３】
なお、情報処理装置１ａは、ＮＦＣディスプレイ１１に代えてＮＦＣディスプレイ１１ａを備えるほかは、実施形態１で説明した情報処理装置１と同様であるため、本実施形態では、情報処理装置１ａの要部構成を示すブロック図および各部材の説明を省略する。
【００８４】
（アプリケーションの一例）
次に、図１３を参照して、本実施形態に係る情報処理装置１ａが実行するアプリケーション２２２ａの一例を説明する。図１３は、本実施形態に係る情報処理装置１ａがアプリケーション２２２ａを実行したときの遷移図である。また、図１３において、矩形（情報処理装置１ａのＮＦＣディスプレイ１１ａ）内に描かれたもののうち、トランプはＮＦＣディスプレイ１１の上に配置されたＮＦＣ端末であり、その他はＮＦＣディスプレイ１１が表示する画像である。
【００８５】
図１３に示すアプリケーション２２２ａは、実施形態１で説明したアプリケーション２２２と同様に、２人でポーカーの対戦を行うアプリケーションである。そのため、実施形態１で説明したアプリケーション２２２と同様の内容については、ここでの説明を省略する。また、このアプリケーション２２２ａは一例であり、本実施形態に係る情報処理装置１ａが実行するアプリケーションはこの例に限定されない。
【００８６】
本実施形態に係る情報処理装置１ａは、上述したように複数のＮＦＣアンテナ１１４がマトリクス状に配置されている。ＮＦＣ通信制御部１３は、アプリ実行部２１２の指示を受けて、複数のＮＦＣアンテナ１１４のうち、図１３の（ａ）に示すＮＦＣアンテナ１１４ａおよびＮＦＣアンテナ１１４ｂをアクティブにする。そして、表示駆動部２３は、図１３の（ａ）に示すように、アクティブにしたＮＦＣアンテナ１１４ａおよびＮＦＣアンテナ１１４ｂの位置に、トランプ３０を近接させる位置（ＮＦＣアンテナ１１４の位置）をユーザに示すためのガイド画像を表示させている。つまり、情報処理装置１ａは、ユーザの近傍に位置するＮＦＣアンテナ１１４をアクティブにする。これにより、それぞれのユーザは、トランプ３０を近接させやすい位置のＮＦＣアンテナ１１４にてＮＦＣを実行することができる。
【００８７】
続いて、図１３の（ｂ）に示すように、プレイヤー１であるユーザとプレイヤー２であるユーザとは、それぞれ図示しないトランプ３０の山からトランプ３０を１枚引き、当該トランプ３０（トランプ３０ａおよびトランプ３０ｂ）をそれぞれ、ＮＦＣアンテナ１１４ｂとＮＦＣアンテナ１１４ａとに接触させる。これにより、それぞれのトランプ３０が保持している情報が情報処理装置１ａに送信される。
【００８８】
そして、ＮＦＣ通信制御部１３は、トランプ３０ａおよびトランプ３０ｂから受信した情報に、ＮＦＣアンテナ１１４ａおよびＮＦＣアンテナ１１４ｂを示すアンテナＩＤをそれぞれ対応付けて、ＮＦＣ通信情報を生成する。ＮＦＣ通信制御部１３は、生成したＮＦＣ通信情報を対応付け部２１１に出力する。
【００８９】
対応付け部２１１は、タッチ情報とＮＦＣ通信情報とを取得すると、まず、ＮＦＣ通信情報に含まれるアンテナＩＤを用いて、アンテナ位置情報２２３からＮＦＣアンテナ１１４の位置を特定する。そして、特定した位置と、タッチ情報に含まれるタッチ座標とから、対応付けるタッチ情報とＮＦＣ通信情報との組み合わせを特定する。具体的には、特定した位置に対してタッチ座標が所定範囲内であるタッチ情報と、特定した位置と対応付けられたアンテナＩＤを含むＮＦＣ通信情報とを対応付ける。つまり、対応付け部２１１は、ＮＦＣアンテナ１１４ａの位置でのタッチ情報（トランプ３０ａのタッチ情報）と、ＮＦＣアンテナ１１４ａのアンテナＩＤを含むＮＦＣ通信情報とを対応付けて、対応付けデータ２２１ａとして記憶部２２に記憶する。また、対応付け部２１１は、ＮＦＣアンテナ１１４ｂの位置でのタッチ情報（トランプ３０ｂのタッチ情報）と、ＮＦＣアンテナ１１４ｂのアンテナＩＤを含むＮＦＣ通信情報とを対応付けて、対応付けデータ２２１ｂとして記憶部２２に記憶する。換言すれば、対応付け部２１１は、複数のトランプ３０が同時に近距離無線通信を行った場合に、近距離無線通信を行ったＮＦＣアンテナ１１４のうち、トランプ３０が接触または近接している位置が最も近いＮＦＣアンテナ１１４によって取得された情報を含むＮＦＣ通信情報と、当該ＮＦＣアンテナ１１４に最も近いトランプ３０のタッチ情報と、を対応付ける。さらに、対応付け部２１１は、対応付けデータ２２１ａおよび対応付けデータ２２１ｂをアプリ実行部２１２に出力する。
【００９０】
次に図１３の（ｂ）および（ｃ）に示すように、２人のユーザはそれぞれ、ＮＦＣディスプレイ１１ａ（タッチパネル１１１）に接触させた状態で、トランプ３０ａおよびトランプ３０ｂを所定の位置に移動させる。この移動に伴い、対応付け部２２１は、記憶部２２に記憶されたトランプ３０ａの対応付けデータ２２１ａおよびトランプ３０ｂの対応付けデータ２２１ｂのタッチ情報部分を更新する。また、対応付け部２１１は、対応付けデータ２２１ａおよび対応付けデータ２２１ｂが更新されるたびに、更新後の対応付けデータ２２１をアプリ実行部２１２に出力する。そして、図１３の（ｃ）に示すように、トランプ３０ａおよびトランプ３０ｂが所定の位置に到達すると、アプリ実行部２１２は、記憶部２２を参照して対応付けデータ２２１をすべて読み出す。そして、対応付けデータ２２１に含まれるアンテナＩＤに応じて、読み出した対応付けデータ２２１をプレイヤー１の対応付けデータ２２１と、プレイヤー２の対応付けデータ２２１とに分別する。なお、実施形態１で説明したように、対応付けデータ２２１に含まれるタッチ座標に応じて、読み出した対応付けデータ２２１をプレイヤー１の対応付けデータ２２１と、プレイヤー２の対応付けデータ２２１とに分別してもよい。以降の処理は実施形態１で説明した内容と同様のため、ここでの説明を省略する。
【００９１】
以上のように、本実施形態に係る情報処理装置１ａは、複数のＮＦＣアンテナ１１４を有している。よって、アプリケーション２２２ａのレイアウトや、ユーザが使用しやすい位置に応じて、アクティブにするＮＦＣアンテナ１１４を選択することができる。また、対応付けデータ２２１には、アンテナＩＤが含まれているため、ユーザに応じて使用するＮＦＣアンテナ１１４が異なるアプリケーション２２２ａ（例えば、上述したポーカーのアプリケーションなど）の場合、当該アンテナＩＤを用いてユーザを特定することができる。
【００９２】
なお、上述したアプリケーション例では、ＮＦＣアンテナ１１４ａおよびＮＦＣアンテナ１１４ｂのみをアクティブにしていたが、図１３におけるＮＦＣディスプレイ１１の上辺および下辺に隣接するＮＦＣアンテナ１１４をすべてアクティブにしてもよい。これにより、移動後のトランプ３０が配置された位置にてＮＦＣを実行することができ、より正確に各トランプ３０の端末データを取得することができる。
【００９３】
〔実施形態３〕
本発明のさらに別の実施形態について、図１４〜図１６に基づいて説明すれば、以下のとおりである。なお、説明の便宜上、前記実施形態にて説明した部材と同じ機能を有する部材については、同じ符号を付記し、その説明を省略する。
【００９４】
実施形態１および２では、ＮＦＣ端末（トランプ３０）と情報処理装置１（または情報処理装置１ａ）との間でＮＦＣを実行した後、ＮＦＣ端末の移動に応じて、アプリ実行部２１２が処理を実行する構成を説明した。これに対して本実施形態では、ＮＦＣ端末の角度の変更に応じて、アプリ実行部２１２が処理を実行する構成を説明する。なお、本実施形態に係る情報処理装置は、実施形態２にて説明した情報処理装置１ａであるため、ここでの説明を省略する。
【００９５】
（アプリケーションの一例）
図１４を参照して、本実施形態に係る情報処理装置１ａが実行するアプリケーション２２２ｂの一例を説明する。図１４は、本実施形態に係る情報処理装置１ａがアプリケーション２２２ｂを実行した時の遷移図である。また、図１４において、矩形（情報処理装置１ａのＮＦＣディスプレイ１１ａ）内に描かれたもののうち、トランプはＮＦＣディスプレイ１１の上に配置されたＮＦＣ端末であり、その他はＮＦＣディスプレイ１１が表示する画像である。
【００９６】
図１４に示すアプリケーション２２２ｂは、トランプを用いたゲームを行うアプリケーションである。なお、このアプリケーション２２２ｂは一例であり、本実施形態に係る情報処理装置１ａが実行するアプリケーションはこの例に限定されない。
【００９７】
アプリ実行部２１２は、上記アプリケーション２２２ｂを実行し、画像生成部２１３に画像の生成を指示する。画像生成部２１３は指示に応じて画像を生成し、生成した画像を表示駆動部２３に出力する。表示駆動部２３は、取得した画像を表示部１１３に表示させる。これにより、図１４の（ａ）に示すように、３つの問題を示す画像が表示部１１３に表示される。また、各問題を示す画像には、トランプを配置する位置を示すガイド画像（図１４の（ａ）における破線）が含まれる。これにより、ユーザにガイド画像に合わせてトランプを配置するよう促すことができる。なお、ガイド画像は破線の画像に限定されない。例えば、トランプの画像を表示してもよい。
【００９８】
続いて、ユーザは、図示しないトランプ３０の山からトランプを３枚引き、それぞれをアクティブなＮＦＣアンテナ１１４（ガイド画像が表示された位置のＮＦＣアンテナ１１４）に接触させた後、図１４の（ｂ）に示すように、当該接触を維持したまま各トランプ３０を所定の位置に移動させる。
【００９９】
３つの問題はそれぞれ、トランプ３０の数字が８より大きいか、または小さいかを予想する問題、トランプ３０の色が黒であるか、または赤であるかを予想する問題、および、トランプ３０のマークを予想する問題である。ユーザは、図１４の（ｃ）に示すように、各トランプ３０を傾ける（角度を変更する）ことで、各問題に対する回答を行う。Ｑ１を例に挙げると、ユーザはトランプ３０の角度を変更することで、当該トランプ３０の数字は８より大きいと回答したこととなる。なお、本実施形態における「角度」は、タッチパネル１１１に設定されたＸＹ平面のＸ軸（第１の軸）と、上記Ｘ軸と同一平面上の軸であって、端末候補領域の外周形状に基づいて特定される軸（第２の軸、図１４の例ではトランプ３０の外周形状である矩形の長辺）とがなす角度であるとして説明する。ただし、角度はこの例に限定されるものではない。
【０１００】
ユーザがトランプ３０を傾けると、タッチ情報生成部１２２は、傾けた後の角度を含むタッチ情報を生成し、対応付け部２１１に出力する。対応付け部２１１は、取得したタッチ情報のタッチＩＤと同一のタッチＩＤを有する対応付けデータ２２１の、タッチ情報部分を取得したタッチ情報に更新する。また、対応付け部２１１は、更新後の対応付けデータ２２１をアプリ実行部２１２に出力する。
【０１０１】
ここで記憶部２２には、各回答とトランプの角度範囲とを対応付けた回答データベース（不図示）が記憶されている。図１４に示すＱ１を例に挙げて説明すると、「表示された数字より上」という情報には「０〜８０°」という情報が対応付けられており、「表示された数字より下」という情報には「１００〜１８０°」という情報が対応付けられている。アプリ実行部２１２は、取得した対応付けデータ２２１に含まれる角度と、回答データベースとを参照して、ユーザの回答を特定する。また、アプリ実行部２１２は、取得した対応付けデータ２２１に含まれる端末データを参照して、問題の正解を特定する。そして、特定したユーザの回答と問題の正解とを比較して、ユーザの回答が正しいか否かを判定し、判定結果に基づく画像の生成指示を画像生成部２１３に出力する。
【０１０２】
画像生成部２１３は、指示に応じて画像を生成し、表示駆動部２３に出力する。そして、表示駆動部２３は、画像生成部２１３が生成した画像を表示部１１３に表示させる。これにより、図１４の（ｄ）に示すように、ユーザの回答が正しいか否かを示す画像が表示部１１３に表示される。図１４の（ｄ）の例の場合、トランプ３０の数字は１０であったため、ユーザの回答が正しいことを示す「○  Ｇｒｅａｔ！」という画像が表示部１１３に表示される。
【０１０３】
以上のように、本実施形態に係る情報処理装置１ａによれば、ＮＦＣ端末の角度の変更に応じた処理を実行することができる。これにより、ＮＦＣ端末の角度の変更（換言すれば、ＮＦＣ端末を回転させる操作）を用いた、直感的な操作が可能となる。
【０１０４】
（実施形態３の変形例）
上述した例では、トランプ３０と情報処理装置１ａとの間でＮＦＣを実行した後で、トランプ３０を所定の位置に移動させる構成を説明した。しかしながら、本実施形態はこの構成に限定されない。具体的には、トランプ３０を最初に所定の位置に配置しておき、トランプ３０の角度を変更した後（すなわち、ユーザが回答した後）で、トランプ３０と情報処理装置１ａとの間でＮＦＣを実行してもよい。
【０１０５】
図１５は、本変形例に係る情報処理装置１ａが実行するアプリケーション２２２ｃを実行したときの遷移図である。なお、図１５に示すアプリケーション２２２ｃは、上述したアプリケーション２２２ｂと同様に、トランプを用いたゲームを行うアプリケーションであるため、アプリケーション２２２ｂと同様の内容については、その説明を省略する。また、図１５において、矩形（情報処理装置１ａのＮＦＣディスプレイ１１ａ）内に描かれたもののうち、トランプはＮＦＣディスプレイ１１の上に配置されたＮＦＣ端末であり、その他はＮＦＣディスプレイ１１が表示する画像である。
【０１０６】
まず、ユーザは図示しないトランプ３０の山からトランプを３枚引き、図１５の（ａ）に示すように、それぞれを所定の位置に配置する。これにより、タッチ情報生成部１２２は、タッチ情報を生成し、対応付け部２１１に出力する。なお、トランプを配置する前にＮＦＣディスプレイ１１が表示する画像は、図１４の（ａ）と同様であるため、図１５では省略している。つまり、本変形例においても、各問題を示す画像には、トランプを配置する位置を示すガイド画像（図１４の（ａ）における破線）が含まれている。
【０１０７】
ここで、対応付け部２１１は、ＮＦＣ通信情報を取得したか否かを判定する。この場合、ＮＦＣ通信情報を取得していないので、対応付け部２１１は、記憶部２２に記憶されている対応付けデータ２２１のうち、取得したタッチ情報と同一のタッチＩＤを含む対応付けデータ２２１を検索するが、トランプ３０と情報処理装置１ａとはＮＦＣを実行していないため、このような対応付けデータ２２１は、記憶部２２に記憶されていない。
【０１０８】
そこで、本変形例に係る対応付け部２１１は、取得したタッチ情報と同一のタッチＩＤを含む対応付けデータ２２１が無い場合、取得したタッチ情報に含まれる座標が、所定範囲内の座標であるか否かを確認する。ここで、本変形例における所定範囲とは、図１５の（ａ）に示すトランプ３０を配置した領域（換言すれば、図１４の（ａ）のガイド画像の領域）であるが、この例に限定されず、所定範囲はアプリケーション２２２に応じて変わる。対応付け部２１１は、アプリ実行部２１２から予め所定範囲の情報を取得しておき、取得したタッチ情報に含まれる座標が、所定範囲内の座標であるか否かを確認する。なお、所定範囲の情報は記憶部２２に記憶されており、対応付け部２１１が記憶部２２から直接取得してもよい。
【０１０９】
そして、対応付け部２１１は、取得したタッチ情報に含まれる座標が、所定範囲内の座標である場合、取得したタッチ情報と同一のタッチＩＤを含むタッチ情報が既に記憶部２２に記憶されているか否かを確認する。記憶されていない場合、対応付け部２１１は、取得したタッチ情報を一時的に記憶部２２に記憶する。なお、既に記憶されている場合については後述する。これに対して、所定範囲内の座標でない場合、対応付け部２１１は、取得したタッチ情報を削除する。
【０１１０】
続いて、図１５の（ｂ）に示すように、ユーザが各トランプ３０を傾けると、タッチ情報生成部１２２は、傾けた後の角度を含むタッチ情報を生成し、対応付け部２１１に出力する。このタッチ情報についても、同一のタッチＩＤを含む対応付けデータ２２１が無いため、対応付け部２１１は、取得したタッチ情報に含まれる座標が、所定範囲内の座標であるか否かを確認する。この場合、所定範囲内の座標であるため、続いて対応付け部２１１は、取得したタッチ情報と同一のタッチＩＤを含むタッチ情報が既に記憶部２２に記憶されているか否かを確認する。この場合、取得したタッチ情報と同一のタッチＩＤを含むタッチ情報（ユーザが角度を変更する前のトランプ３０のタッチ情報）が記憶部２２に記憶されている。このとき対応付け部２１１は、記憶部２２に記憶されているタッチ情報を新たに取得したタッチ情報に更新する。
【０１１１】
続いてユーザは、図１５の（ｃ）に示すように、ＮＦＣディスプレイ１１ａとの接触を維持したまま、トランプ３０をアクティブなＮＦＣアンテナ１１４の位置に移動させる。そして、トランプ３０と情報処理装置１との近距離無線通信が実行された結果、対応付け部２１１は、対応付けデータ２２１を記憶部２２に記憶するとともに、対応付けデータ２２１をアプリ実行部２１２に出力する。
【０１１２】
アプリ実行部２１２は、対応付けデータ２２１を取得すると、記憶部２２に記憶されているタッチ情報を読み出す。そして、読み出したタッチ情報に含まれる角度と、回答データベースとを参照して、ユーザの回答を特定する。また、アプリ実行部２１２は、取得した対応付けデータ２２１に含まれる端末データを参照して、問題の正解を特定する。そして、特定したユーザの回答と問題の正解とを比較して、ユーザの回答が正しいか否かを判定し、判定結果に基づく画像の生成指示を画像生成部２１３に出力する。
【０１１３】
画像生成部２１３は、指示に応じて画像を生成し、表示駆動部２３に出力する。そして、表示駆動部２３は、画像生成部２１３が生成した画像を表示部１１３に表示させる。これにより、図１５の（ｄ）に示すように、ユーザの回答が正しいか否かを示す画像が表示部１１３に表示される。図１５の（ｄ）の例の場合、トランプ３０の数字は１０であったため、ユーザの回答が正しいことを示す「○  Ｇｒｅａｔ！」という画像が表示部１１３に表示される。
【０１１４】
（タッチ情報と同一のタッチＩＤを含む対応付けデータが無い場合の処理の流れ）
次に、図１６を参照して、タッチ情報と同一のタッチＩＤを含む対応付けデータが無い場合の処理の流れについて説明する。図１６は、図１０に示すフローチャートに含まれる「Ａ」以降の処理の流れを示すフローチャートである。
【０１１５】
まず、タッチ情報と同一のタッチＩＤを含む対応付けデータが無い場合（図１０のＳ１６でＮＯ）、対応付け部２１１は、取得したタッチ情報に含まれるタッチ座標が所定範囲内の座標であるか否かを判定する（Ｓ２１）。所定範囲内の座標である場合（Ｓ２１でＹＥＳ）、対応付け部２１１は、取得したタッチ情報と同一のタッチＩＤを含むタッチ情報が記憶部２２に記憶されているか否かを確認する（Ｓ２２）。記憶されていない場合（Ｓ２２でＮＯ）、対応付け部２１１は、取得したタッチ情報を一時的に記憶部２２に記憶する（Ｓ２３）。これに対して、記憶されている場合（Ｓ２２でＹＥＳ）、記憶部２２に記憶されているタッチ情報を、取得したタッチ情報に更新する（Ｓ２４）。
【０１１６】
一方、取得したタッチ情報に含まれるタッチ座標が所定範囲内の座標でない場合（Ｓ２１でＮＯ）、取得したタッチ情報を削除する（Ｓ２５）。
【０１１７】
（実施形態３のその他の変形例）
本実施形態に係る情報処理装置１ａは、矩形のＮＦＣ端末が縦向きであるか、または横向きであるかを特定し、特定した向きに応じて処理を実行してもよい。このとき、タッチ情報生成部１２２は、ＮＦＣ端末の長辺がＮＦＣディスプレイ１１ａの長辺に対して略平行であるか、または略垂直であるかを特定する。そして、ＮＦＣ端末の「向き」をさらに含むタッチ情報を生成する。アプリ実行部２１２は、当該タッチ情報を含む対応付けデータ２２１を参照して、ＮＦＣ端末が縦向きであるか、または横向きであるかを特定する。
【０１１８】
また、本実施形態に係る情報処理装置１ａは、ＮＦＣ端末が右回りで回転したか、または左回りで回転したかを特定し、特定した向きに応じて処理を実行してもよい。この場合、対応付け部２１１は、ＮＦＣ端末が回転しているときのタッチ情報（または、当該タッチ情報を含む対応付けデータ２２１）のうち、少なくとも２つを削除せず記憶部２２に保持しておく。アプリ実行部２１２は、保持された少なくとも２つのタッチ情報に含まれる角度がどのように変化したかに応じて、ＮＦＣ端末が右回りで回転したか、または左回りで回転したかを特定する。具体的には、角度が大きくなるように変化している場合、アプリ実行部２１２は、ＮＦＣ端末が右回りで回転したと特定する。一方、角度が小さくなるように変化している場合、アプリ実行部２１２は、ＮＦＣ端末が左回りで回転したと特定する。
【０１１９】
また、本実施形態にて説明した構成は、実施形態１にて説明した情報処理装置、すなわち情報処理装置１にも適用可能である。
【０１２０】
〔実施形態４〕
本発明のさらに別の実施形態について、図１７に基づいて説明すれば、以下のとおりである。なお、説明の便宜上、前記実施形態にて説明した部材と同じ機能を有する部材については、同じ符号を付記し、その説明を省略する。
【０１２１】
実施形態１では、情報処理装置１の場合、すなわち、ＮＦＣアンテナ１１４が１つの場合における、意図しない接触解消に伴う対応付けデータ削除の防止方法を説明した。これに対して本実施形態では、情報処理装置１ａの場合、すなわち、ＮＦＣアンテナ１１４が複数の場合における、意図しない接触解消に伴う対応付けデータ削除の防止方法を説明する。
【０１２２】
図１７は、本実施形態における意図しない接触解消に伴う対応付けデータ削除の防止方法を示す図である。図１７において、矩形（情報処理装置１ａのＮＦＣディスプレイ１１ａ）内に描かれたもののうち、トランプはＮＦＣディスプレイ１１の上に配置されたＮＦＣ端末であり、その他はＮＦＣディスプレイ１１が表示する画像である。
【０１２３】
本実施形態に係る情報処理装置１ａのＮＦＣ通信制御部１３は、図１６におけるガイド画像が表示されたＮＦＣアンテナ１１４（図１６の右下のＮＦＣアンテナ１１４）からＮＦＣ通信情報を取得したとき、その他のすべてのＮＦＣアンテナ１１４もアクティブにする。これにより、ＮＦＣ端末（トランプ３０）が、情報処理装置１との接触を維持したまま移動した場合、ＮＦＣアンテナ１１４の上を通過するたびに、トランプ３０と情報処理装置１ａとの間で近距離無線通信が実行される。換言すれば、ＮＦＣ通信制御部１３は、トランプ３０がＮＦＣアンテナ１１４の上を通過するたびに、ＮＦＣ通信情報を生成し、対応付け部２１１に出力することとなる。
【０１２４】
一方、タッチ情報生成部１２２は、継続的にタッチ情報を生成し、対応付け部２１１に出力する。これにより、対応付け部２１１がタッチ情報とＮＦＣ通信情報とを同時に取得する状況が、複数回発生することとなる。本実施形態に係る対応付け部２１１は、タッチ情報とＮＦＣ通信情報とを同時に取得するたびに、対応付けデータ２２１を生成し、記憶部２２に記憶する。これにより、図１７に示すように、意図しない接触解消が発生したとしても、その後、ＮＦＣアンテナ１１４の上をトランプ３０が通過すれば、再びタッチ情報とＮＦＣ通信情報とが対応付けられることとなる。よって、ユーザは再度ＮＦＣアンテナ１１４の位置にてトランプ３０をタッチパネル１１１に接触させる必要が無くなり、ユーザの利便性が向上する。
【０１２５】
なお、本実施形態では、すべてのＮＦＣアンテナ１１４をアクティブにする構成を説明したが、ＮＦＣ通信制御部１３が、ＮＦＣ端末の移動先の情報を予め取得できる場合、ＮＦＣ端末の移動経路を特定して、当該移動経路上にあるＮＦＣアンテナ１１４のみをアクティブにする構成であってもよい。具体的には、アプリ実行部２１２は、実行するアプリケーション２２２において、ＮＦＣ端末の移動先を特定できる場合（例えば、実行するアプリケーション２２２が、実施形態３に示すアプリケーション２２２ｂである場合など）、移動先の座標をＮＦＣ通信制御部１３に出力する。ＮＦＣ通信制御部１３は、取得した移動先の座標を用いて移動経路を特定して、当該移動経路上にあるＮＦＣアンテナ１１４のみをアクティブにする。
【０１２６】
また、アプリ実行部２１２（アンテナ状態設定部）は、取得した対応付けデータ２２１に含まれるタッチ情報が示す座標に最も近い位置のＮＦＣアンテナ１１４を特定し、当該ＮＦＣアンテナ１１４をアクティブにするよう、ＮＦＣ通信制御部１３に指示してもよい。
【０１２７】
〔実施形態１〜４に共通の変形例〕
実施形態１〜４では、ＮＦＣ端末がトランプ３０である例を説明したが、ＮＦＣ端末はトランプに限定されない。具体的には、ＮＦＣ端末は、情報処理装置１（または情報処理装置１ａ）で実行されるアプリケーション２２２に応じて変わる。
【０１２８】
例えば、アプリケーション２２２がトレーディングカードゲームであれば、トレーディングカードがＮＦＣ端末となる。当該トレーディングカードには例えば、キャラクタの情報、画像、ステータスなどが端末データとして保持されている。情報処理装置１は、このようなトレーディングカードから、ＮＦＣによってキャラクタの画像、キャラクタのステータスなどを取得して、取得したこれらの情報に応じた演出を表示部１１３に表示させることができる。
【０１２９】
また、ＮＦＣ端末はカード型の端末に限定されない。例えば、駒がＮＦＣ端末であるボードゲームのアプリケーション２２２を実現することもできる。当該駒には例えば、駒の情報、画像、ステータスなどが端末データとして保持されている。情報処理装置１は、このような駒から、ＮＦＣによって駒の画像、駒のステータスなどを取得して、取得したこれらの情報に応じた演出を表示部１１３に表示させることができる。
【０１３０】
以上のように、本発明に係る情報処理装置１によれば、トランプ、トレーディングカード、駒などの実物と、デジタルデータとを融合させたアプリケーションを実現することができる。これにより、ユーザはよりリアルなゲームを体感することができる。
【０１３１】
その他にも、ＮＦＣ端末の例としては、スマートフォンやタブレット端末などが挙げられる。また、ＮＦＣ端末はユーザが把持することができる持手部を備えていてもよい。これにより、ユーザは、ＮＦＣディスプレイ１１にＮＦＣ端末を接触させた状態で移動させる場合に、当該持手部を把持して移動させることができる。よって、ＮＦＣディスプレイ１１に接触させた状態でのＮＦＣ端末の移動を容易に行うことができる。
【０１３２】
また、実施形態１〜４では、タッチパネル１１１とＮＦＣ通信部１１２とが別体である構成を説明したが、タッチパネル１１１とＮＦＣ通信部１１２とは一体化していてもよい。例えば、タッチパネル１１１にＮＦＣアンテナ１１４が備えられている構成であってもよい。
【０１３３】
〔その他の変形例〕
本発明の変形例について、図１８を参照して説明すれば、以下のとおりである。図１８は、本発明の変形例を示す図である。
【０１３４】
図１８に示すように、本発明の情報処理装置は、表示装置（ディスプレイ）を備えないものであってもよい。例えば、図１８の（ａ）に示すように、本発明の情報処理装置は、ＮＦＣアンテナを内蔵したタッチパッド２であってもよい。タッチパッド２は表示装置３と通信可能に構成されており、タッチパッド２上に配置されたＮＦＣ端末（図１８の例ではトランプ）のタッチ情報およびＮＦＣ通信情報を表示装置３に送信することで、表示装置３に、タッチ情報およびＮＦＣ通信情報を反映した画像を表示させる。
【０１３５】
これにより、タッチパッド２の遠くに表示装置３が設置されている場合や、図１８に示すように表示装置３にＮＦＣ端末を配置できない場合であっても、タッチ情報、ＮＦＣ通信情報を反映した画像を、表示装置３に表示させることができる。なお、図１８の（ａ）の例におけるアプリケーションとしては、カードゲームやボードゲームのアプリケーションが考えられる。
【０１３６】
また、図１８の（ｂ）に示すように、情報処理装置はタッチパネルとＮＦＣアンテナを内蔵した操作パネル４であってもよい。図１８の（ｂ）に示す操作パネル４は、その全面がタッチパネルになっている。また、中心にＮＦＣ端末（カード）をタッチするＮＦＣアンテナを備え、当該ＮＦＣアンテナの上にカードをタッチするためのガイドを有している。また、周囲の領域は８つに区分されており、１〜８までの番号が示されている。なお、操作パネル４は図１８の（ｂ）の例に限定されるものではない。
【０１３７】
ユーザは、操作パネル４の中心部分にカードをタッチし、その後、カードを所定の方向に移動または回転させることで操作を行う。例えば、操作パネル４は自動販売機に搭載されている。操作パネル４は、ユーザが操作パネル４の中心部分にカードをタッチしたことにより、決済情報を取得する。また、ユーザが、望みの商品に対応する番号の領域にカードを移動させたことによって取得したタッチ情報の座標に応じて、商品を特定する。そして、ユーザがカードを回転させたことによって取得したタッチ情報の角度に応じて、商品の購入処理を実行する。
【０１３８】
なお、操作パネル４が自動販売機に搭載されること、および、商品購入のためのユーザ操作は上記の例に限定されない。
【０１３９】
〔ソフトウェアによる実現例〕
情報処理装置１の制御ブロック（特にシグナル情報処理部１２、ＮＦＣ通信制御部１３、および制御部２１）は、集積回路（ＩＣチップ）等に形成された論理回路（ハードウェア）によって実現してもよいし、ＣＰＵ（Central Processing Unit）を用いてソフトウェアによって実現してもよい。
【０１４０】
後者の場合、情報処理装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１４１】
〔まとめ〕
本発明の態様１に係る情報処理装置１は、タッチパネル１１１にかざされた端末装置が有する端末情報を、近距離無線通信を行う通信部（ＮＦＣ通信部１１２）を介して上記端末装置から取得する端末情報取得部（対応付け部２１１）と、上記タッチパネルにおける、上記端末装置が接触または近接している位置の情報を含む位置情報を取得する位置情報取得部（対応付け部２１１）と、上記端末情報と上記位置情報とを対応付けて記憶する対応付け部（対応付け部２１１）と、を備え、上記対応付け部は、上記接触または近接状態が維持された状態で上記タッチパネル上を上記端末装置が移動した場合、当該移動に応じて上記端末情報と対応付けられている上記位置情報を更新し、上記通信部は、上記端末装置と近距離無線通信を行うためのアンテナ（ＮＦＣアンテナ１１４）を複数有し、上記端末装置の上記位置情報が示す位置に最も近いアンテナを、上記端末装置との近距離無線通信が可能な状態とするアンテナ状態設定部（アプリ実行部２１２）をさらに備える。
【０１４２】
上記の構成によれば、近距離無線通信によって取得した端末装置が有する端末情報と、タッチパネルにおける、端末装置が接触または近接している位置の情報を含む位置情報とを対応付けて記憶するので、端末情報と位置情報とを連動させた処理を行うことができる。また、上記の構成によれば、端末装置が移動したとき、当該移動に応じて、端末情報と対応付けられている位置情報を更新するので、端末情報には、端末装置の最新の位置の情報を含む位置情報が対応付けられる。よって、近距離無線通信の後に端末装置がタッチパネル上で移動したとしても、情報処理装置は当該端末装置の位置を把握することができる。よって、端末情報と、端末装置の移動とを連動させた処理を行うことができる。
【０１４３】
また、上記の構成によれば、端末装置の位置情報が示す位置に最も近いアンテナが、端末装置との近距離無線通信が可能な状態（アクティブ）となる。これにより、タッチパネル上において端末装置が移動する場合、当該移動に合わせてアンテナがアクティブになる。よって、端末装置とタッチパネルとの接触または近接状態が一度解消されて、端末情報と位置情報との対応付けが解消されたとしても、その後再び接触または近接状態となれば、端末装置に最も近いアンテナによって端末情報を取得することができるので、端末情報と位置情報とを再度対応付けることができる。
【０１４４】
本発明の態様２に係る情報処理装置は、上記態様１において、上記端末情報は、上記タッチパネルにおいて設定された第１の軸と、上記第１の軸と同一平面上における軸であって、上記端末装置の外形に基づいて特定される第２の軸とがなす角度を示す角度情報とさらに対応付けられて記憶され、上記対応付け部は、上記接触または近接が維持された状態で上記端末装置の上記角度が変更された場合、当該変更に応じて上記端末情報と対応付けられている上記角度情報を更新してもよい。
【０１４５】
上記の構成によれば、端末装置の角度が変更したとき、当該変更に応じて、端末情報と対応付けられている角度情報を更新する。
【０１４６】
これにより、端末情報には、端末装置の最新の角度を示す角度情報が対応付けられる。よって、近距離無線通信の後に端末装置がタッチパネル上で角度を変更したとしても、情報処理装置は当該端末装置の角度（傾き）を把握することができる。よって、端末情報と、端末装置の角度の変更とを連動させた処理を行うことができる。
【０１４７】
本発明の態様３に係る情報処理装置は、上記態様１または２において、上記対応付け部は、上記端末装置の接触または近接状態が解消されてから所定時間が経過したとき、上記端末情報と上記位置情報との対応付けを解除してもよい。
【０１４８】
上記の構成によれば、端末装置の接触または近接状態が解消されてから、所定時間が経過したとき、端末情報と位置情報との対応付けを解除する。
【０１４９】
つまりユーザは、端末情報と位置情報との対応付けを解除したい場合、端末装置のタッチパネルとの接触または近接状態を解消し、解消した状態を所定時間維持すればよい。以上より、端末情報と位置情報との対応付けを簡易な方法で解除することができる。
【０１５０】
本発明の態様４に係る情報処理装置は、上記態様３において、上記タッチパネルにおける第１の位置において上記端末装置の接触または近接状態が解消された後、上記所定時間が経過する前に、上記位置情報取得部が上記端末装置の第２の位置情報を取得したとき、少なくとも、上記第２の位置情報が示す第２の位置と、上記第１の位置との差が所定範囲内である場合に、上記対応付け部は、上記端末情報に対応付けられている位置情報を、上記第２の位置情報に更新してもよい。
【０１５１】
上記の構成によれば、所定時間が経過する前に、再び端末装置とタッチパネルとが接触または近接した場合、当該接触または近接に応じて取得した第２の位置情報が示す第２の位置と、接触または近接状態を解除した第１の位置との差が所定範囲内であれば、第２の位置情報を端末情報に対応付ける。
【０１５２】
これにより、ユーザが意図せず端末装置とタッチパネルとの接触または近接状態を解消してしまった場合、すなわち、端末装置とタッチパネルとを意図せず所定距離以上離してしまった場合であっても、接触または近接状態を解消した位置の近傍で、所定時間以内に再度端末装置とタッチパネルとを接触または近接させれば、端末情報を再度の接触または近接を行った位置を示す位置情報と対応付けることができる。
【０１５３】
つまり、ユーザは、意図せず端末装置とタッチパネルとの接触または近接状態を解消してしまった場合であっても、当該端末装置による近距離無線通信を再度行う必要が無い。よって、ユーザの利便性を向上させることができる。
【０１５４】
本発明の態様５に係る情報処理装置は、上記態様１から４のいずれか１態様において、上記対応付け部は、上記タッチパネルに接触または近接した物体が上記端末装置であると判定したとき、上記端末情報と上記位置情報とを対応付けて記憶してもよい。
【０１５５】
上記の構成によれば、タッチパネルに接触または近接した物体が端末装置であると判定したとき、端末情報と位置情報とを対応付けて記憶する。換言すれば、上記物体が端末装置でない、例えば、ユーザの指などである場合は、端末情報と位置情報とを対応付けない。
【０１５６】
これにより、端末装置がタッチパネルと接触または近接している状態で、別の物体がタッチパネルと接触または近接したとしても、当該接触または近接に基づく位置情報と端末情報が対応付けられることはない。よって、端末情報と位置情報との誤った対応付けを防ぐことができる。
【０１５７】
本発明の態様６に係る情報処理装置は、上記態様１から５のいずれか１態様において、上記対応付け部は、複数の上記端末装置が同時に近距離無線通信を行った場合に、上記近距離無線通信を行ったアンテナのうち、上記端末装置が接触または近接している位置が最も近いアンテナによって取得された端末情報と、当該アンテナに最も近い端末装置の上記位置情報と、を対応付けてもよい。
【０１５８】
上記の構成によれば、複数の端末装置が同時に近距離無線通信を行った場合に、対応付け部は、近距離無線通信を行ったアンテナのうち、端末装置が接触または近接している位置が最も近いアンテナによって取得された端末情報と、当該アンテナに最も近い端末装置の位置情報とを対応付ける。
【０１５９】
これにより、複数の端末装置が同時に近距離無線通信を行った場合であっても、端末情報と位置情報との組み合わせを正しく特定し、対応付けることができる。
【０１６０】
〔付記事項〕
本発明は、以下のように表現することもできる。
【０１６１】
本発明の態様７に係る情報処理装置１は、タッチパネル１１１にかざされた端末装置が有する端末情報を、近距離無線通信を行う通信部（ＮＦＣ通信部１１２）を介して上記端末装置から取得する端末情報取得部（対応付け部２１１）と、上記タッチパネルにおける、上記端末装置が接触または近接している位置の情報を含む位置情報を取得する位置情報取得部（対応付け部２１１）と、上記端末情報と上記位置情報とを対応付けて記憶する対応付け部（対応付け部２１１）と、を備える。
【０１６２】
上記の構成によれば、近距離無線通信によって取得した端末装置が有する端末情報と、タッチパネルにおける、端末装置が接触または近接している位置の情報を含む位置情報とを対応付けて記憶するので、端末情報と位置情報とを連動させた処理を行うことができる。
【０１６３】
本発明の態様８に係る情報処理装置は、上記態様７において、上記対応付け部は、上記接触または近接状態が維持された状態で上記タッチパネル上を上記端末装置が移動した場合、当該移動に応じて上記端末情報と対応付けられている上記位置情報を更新してもよい。
【０１６４】
上記の構成によれば、端末装置が移動したとき、当該移動に応じて、端末情報と対応付けられている位置情報を更新する。
【０１６５】
これにより、端末情報には、端末装置の最新の位置の情報を含む位置情報が対応付けられる。よって、近距離無線通信の後に端末装置がタッチパネル上で移動したとしても、情報処理装置は当該端末装置の位置を把握することができる。よって、端末情報と、端末装置の移動とを連動させた処理を行うことができる。
【０１６６】
本発明の態様９に係る情報処理装置は、上記態様７または８において、上記端末情報は、上記タッチパネルにおいて設定された第１の軸と、上記第１の軸と同一平面上における軸であって、上記端末装置の外形に基づいて特定される第２の軸とがなす角度を示す角度情報とさらに対応付けられて記憶され、上記対応付け部は、上記接触または近接が維持された状態で上記端末装置の上記角度が変更された場合、当該変更に応じて上記端末情報と対応付けられている上記角度情報を更新してもよい。
【０１６７】
上記の構成によれば、端末装置の角度が変更したとき、当該変更に応じて、端末情報と対応付けられている角度情報を更新する。
【０１６８】
これにより、端末情報には、端末装置の最新の角度を示す角度情報が対応付けられる。よって、近距離無線通信の後に端末装置がタッチパネル上で角度を変更したとしても、情報処理装置は当該端末装置の角度（傾き）を把握することができる。よって、端末情報と、端末装置の角度の変更とを連動させた処理を行うことができる。
【０１６９】
本発明の態様１０に係る情報処理装置は、上記態様７から９のいずれかにおいて、上記対応付け部は、上記端末装置の接触または近接状態が解消されてから所定時間が経過したとき、上記端末情報と上記位置情報との対応付けを解除してもよい。
【０１７０】
上記の構成によれば、端末装置の接触または近接状態が解消されてから、所定時間が経過したとき、端末情報と位置情報との対応付けを解除する。
【０１７１】
つまりユーザは、端末情報と位置情報との対応付けを解除したい場合、端末装置のタッチパネルとの接触または近接状態を解消し、解消した状態を所定時間維持すればよい。以上より、端末情報と位置情報との対応付けを簡易な方法で解除することができる。
【０１７２】
本発明の態様１１に係る情報処理装置は、上記態様１０において、上記タッチパネルにおける第１の位置において上記端末装置の接触または近接状態が解消された後、上記所定時間が経過する前に、上記位置情報取得部が上記端末装置の第２の位置情報を取得したとき、少なくとも、上記第２の位置情報が示す第２の位置と、上記第１の位置との差が所定範囲内である場合に、上記対応付け部は、上記端末情報に対応付けられている位置情報を、上記第２の位置情報に更新してもよい。
【０１７３】
上記の構成によれば、所定時間が経過する前に、再び端末装置とタッチパネルとが接触または近接した場合、当該接触または近接に応じて取得した第２の位置情報が示す第２の位置と、接触または近接状態を解除した第１の位置との差が所定範囲内であれば、第２の位置情報を端末情報に対応付ける。
【０１７４】
これにより、ユーザが意図せず端末装置とタッチパネルとの接触または近接状態を解消してしまった場合、すなわち、端末装置とタッチパネルとを意図せず所定距離以上離してしまった場合であっても、接触または近接状態を解消した位置の近傍で、所定時間以内に再度端末装置とタッチパネルとを接触または近接させれば、端末情報を再度の接触または近接を行った位置を示す位置情報と対応付けることができる。
【０１７５】
つまり、ユーザは、意図せず端末装置とタッチパネルとの接触または近接状態を解消してしまった場合であっても、当該端末装置による近距離無線通信を再度行う必要が無い。よって、ユーザの利便性を向上させることができる。
【０１７６】
本発明の態様１２に係る情報処理装置は、上記態様１１において、上記タッチパネルと対向する上記端末装置の対向面の大きさを特定するサイズ特定部（対応付け部２１１）をさらに備え、上記対応付け部は、さらに、上記第１の位置における上記端末装置の対向面の大きさと、上記第２の位置における上記端末装置の対向面の大きさとの差が所定範囲内である場合に、上記端末情報に対応付けられている位置情報を、上記第２の位置情報に更新してもよい。
【０１７７】
上記の構成によれば、端末装置の位置に加え、端末装置の対向面の大きさの差が所定範囲内である場合に、端末情報に対応付けられている位置情報を、第２の位置情報に更新する。
【０１７８】
これにより、端末装置とタッチパネルとの接触または近接状態が一度解消された後の、再度の対応付けにおいて、再度タッチパネルに接触または近接した端末装置が、直前に接触または近接状態を解消した端末装置であるかをより正確に判定することができる。
【０１７９】
なお、上記「大きさ」とは、タッチパネルと対向する端末装置の対向面の面積であってもよいし、対向面が矩形である場合は、短辺および長辺の長さであってもよいし、長辺の長さのみであってもよい。
【０１８０】
本発明の態様１３に係る情報処理装置は、上記態様１２において、上記対向面の形状を特定する形状特定部（対応付け部２１１）をさらに備え、上記対応付け部は、さらに、上記第１の位置における上記対向面の形状と、上記第２の位置における上記対向面の形状とが一致する場合に、上記端末情報に対応付けられている位置情報を、上記第２の位置情報に更新してもよい。
【０１８１】
上記の構成によれば、端末装置の位置および大きさの差が所定範囲である場合に、さらに、端末装置の形状が一致する場合に、端末情報に対応付けられている位置情報を、第２の位置情報に更新する。
【０１８２】
これにより、端末装置とタッチパネルとの接触または近接状態が一度解消された後の、再度の対応付けにおいて、再度タッチパネルに接触または近接した端末装置が、直前に接触または近接状態を解消した端末装置であるかをさらに正確に判定することができる。
【０１８３】
本発明の態様１４に係る情報処理装置は、上記態様７から１３のいずれかにおいて、上記対応付け部は、上記タッチパネルに接触または近接した物体が上記端末装置であると判定したとき、上記端末情報と上記位置情報とを対応付けて記憶してもよい。
【０１８４】
上記の構成によれば、タッチパネルに接触または近接した物体が端末装置であると判定したとき、端末情報と位置情報とを対応付けて記憶する。換言すれば、上記物体が端末装置でない、例えば、ユーザの指などである場合は、端末情報と位置情報とを対応付けない。
【０１８５】
これにより、端末装置がタッチパネルと接触または近接している状態で、別の物体がタッチパネルと接触または近接したとしても、当該接触または近接に基づく位置情報と端末情報が対応付けられることはない。よって、端末情報と位置情報との誤った対応付けを防ぐことができる。
【０１８６】
本発明の態様１５に係る情報処理装置は、上記態様７から１４のいずれかにおいて、上記通信部は、上記端末装置と近距離無線通信を行うためのアンテナ（ＮＦＣアンテナ１１４）を複数有し、上記対応付け部は、複数の上記端末装置が同時に近距離無線通信を行った場合に、上記近距離無線通信を行ったアンテナのうち、上記端末装置が接触または近接している位置が最も近いアンテナによって取得された端末情報と、当該アンテナに最も近い端末装置の上記位置情報と、を対応付けてもよい。
【０１８７】
上記の構成によれば、複数の端末装置が同時に近距離無線通信を行った場合に、対応付け部は、近距離無線通信を行ったアンテナのうち、端末装置が接触または近接している位置が最も近いアンテナによって取得された端末情報と、当該アンテナに最も近い端末装置の位置情報とを対応付ける。
【０１８８】
これにより、複数の端末装置が同時に近距離無線通信を行った場合であっても、端末情報と位置情報との組み合わせを正しく特定し、対応付けることができる。
【０１８９】
本発明の態様１６に係る情報処理装置は、上記態様７から１５のいずれかにおいて、上記通信部は、上記端末装置と近距離無線通信を行うためのアンテナを複数有し、上記端末装置の上記位置情報が示す位置に最も近いアンテナを、上記端末装置との近距離無線通信が可能な状態とするアンテナ状態設定部（アプリ実行部２１２）をさらに備えてもよい。
【０１９０】
上記の構成によれば、端末装置の位置情報が示す位置に最も近いアンテナが、端末装置との近距離無線通信が可能な状態（アクティブ）となる。これにより、タッチパネル上において端末装置が移動する場合、当該移動に合わせてアンテナがアクティブになる。
【０１９１】
よって、端末装置とタッチパネルとの接触または近接状態が一度解消されて、端末情報と位置情報との対応付けが解消されたとしても、その後再び接触または近接状態となれば、端末装置に最も近いアンテナによって端末情報を取得することができるので、端末情報と位置情報とを再度対応付けることができる。
【０１９２】
本発明の態様１７に係る情報処理装置の制御方法は、タッチパネルにかざされた端末装置が有する端末情報を、近距離無線通信を行う通信部を介して上記端末装置から取得する端末情報取得ステップ（Ｓ１３）と、上記タッチパネルにおける、上記端末装置が接触または近接している位置の情報を含む位置情報を取得する位置情報取得ステップ（Ｓ１１）と、上記端末情報と上記位置情報とを対応付けて記憶する対応付けステップ（Ｓ１４）と、を含む。
【０１９３】
態様１７に係る情報処理装置の制御方法は、上記態様７に係る情報処理装置と同様の作用効果を奏する。
【０１９４】
本発明の各態様に係る情報処理装置は、コンピュータによって実現してもよく、この場合には、コンピュータを上記情報処理装置が備える各部（ソフトウェア要素）として動作させることにより上記情報処理装置をコンピュータにて実現させる情報処理装置の制御プログラム、およびそれを記録したコンピュータ読み取り可能な記録媒体も、本発明の範疇に入る。
【０１９５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１９６】
本発明は、近距離無線通信を行う通信部を備える表示装置が端末装置から近距離無線通信によって取得した情報を処理する情報処理装置に利用することができる。
【符号の説明】
【０１９７】
１  情報処理装置
１０  表示装置
１１１  タッチパネル
１１２  ＮＦＣ通信部（通信部）
１１４  アンテナ（ＮＦＣアンテナ）
２１１  対応付け部（端末情報取得部、位置情報取得部、対応付け部、形状特定部）
２１２  アプリ実行部（アンテナ状態設定部）
Ｓ１１  位置情報取得ステップ
Ｓ１３  端末情報取得ステップ
Ｓ１４  対応付けステップ
【図１】
2019087261.tif 000003
【図２】
2019087261.tif 000004
【図３】
2019087261.tif 000005
【図４】
2019087261.tif 000006
【図５】
2019087261.tif 000007
【図６】
2019087261.tif 000008
【図７】
2019087261.tif 000009
【図８】
2019087261.tif 000010
【図９】
2019087261.tif 000011
【図１０】
2019087261.tif 000012
【図１１】
2019087261.tif 000013
【図１２】
2019087261.tif 000014
【図１３】
2019087261.tif 000015
【図１４】
2019087261.tif 000016
【図１５】
2019087261.tif 000017
【図１６】
2019087261.tif 000018
【図１７】
2019087261.tif 000019
【図１８】
2019087261.tif 000020